【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
画像を表す画像データを格納する画像格納手段と、
少なくとも１つの読影順条件を格納する読影順条件格納手段と、
各検査に関する情報を格納する検査情報格納手段と、
前記検査情報格納手段に情報が格納されている検査について、前記読影順条件格納手段に格納されている少なくとも１つの読影順条件及び前記画像格納手段における画像データの入力状態に従って、次に読影を行うべき検査を決定する情報処理手段と、
を具備する読影支援システム。
【請求項２】
前記情報処理手段が、前記画像格納手段に画像データが格納されている検査の内の前記読影順条件格納手段に格納されている前記少なくとも１つの読影順条件によって表される順序が最も高い検査を、次に読影を行うべき検査として決定する、請求項１記載の読影支援システム。
【請求項３】
前記情報処理手段が、所定のとき又は所定のタイミングで、前記画像格納手段における画像データの入力状態を監視する、請求項１又は２記載の読影支援システム。
【請求項４】
前記情報処理手段が、
前記検査情報格納手段に情報が格納されている検査について、前記画像格納手段における画像データの入力状態を監視して前記検査情報格納手段に格納されている検査に関する情報を更新する画像入力状態監視手段と、
前記読影順条件格納手段に格納されている少なくとも１つの読影順条件に従って前記検査情報格納手段に格納されている検査に関する情報を検索することにより次に読影を行うべき検査を決定する読影順決定手段と、
を含む、請求項１〜３のいずれか１項に記載の読影支援システム。
【請求項５】
前記情報処理手段が、
次に読影を行うべき検査に関する情報に基づいて、読影レポートを作成するために用いられる読影レポート作成画面を表示装置に表示させる情報入力手段と、
前記画像格納手段に格納されている、次に読影を行うべき検査に関する画像データに基づいて画像を表示装置に表示させる画像表示手段と、
を含む、請求項１〜４のいずれか１項記載の読影支援システム。
【請求項６】
前記情報処理手段が、或る検査に対する読影レポートの作成が終了、中止又は中断したときに、次に読影を行うべき検査を決定するための情報の入力をユーザに行わせることなく、次に読影を行うべき検査を決定する、請求項５記載の読影支援システム。
【請求項７】
前記情報処理手段が、
ユーザによって入力される情報に基づいて読影順条件を設定し、設定された読影順条件を前記読影順条件格納手段に格納する読影順条件設定手段を含む、請求項１〜６のいずれか１項記載の読影支援システム。
【請求項８】
前記読影順条件格納手段が、ユーザのアカウントに対応する読影順条件、及び、施設に共通の読影順条件を別個に格納する、請求項７記載の読影支援システム。
【請求項９】
前記読影順条件格納手段が、読影順条件として、条件名と、読影レポートデータの検索条件に関する情報と、読影の優先順位に関する情報と、ユーザ又は施設に関するアカウントとを対応して格納する、請求項７又は８記載の読影支援システム。
【請求項１０】
前記情報処理手段が、
前記読影順条件格納手段に格納されている少なくとも１つの読影順条件の内から１つの読影順条件を選択する読影順条件選択手段を含み、
前記読影順条件選択手段が、選択された読影順条件において設定されている検査項目毎に、読影レポートが未確定となっている検査の数を表示装置に表示させる、請求項１〜９のいずれか１項記載の読影支援システム。
【請求項１１】
前記読影順条件選択手段が、前記読影順条件格納手段に格納されている少なくとも１つの読影順条件の内から、ログオンしているユーザのアカウントに対応する読影順条件、又は、施設に共通の読影順条件を選択する、請求項１０記載の読影支援システム。
【請求項１２】
前記情報処理手段が、緊急の読影依頼が発生した場合に、緊急の読影依頼に関する検査を読影順の最高位にすると共に、該検査を特定する情報を前記情報入力手段に出力する、請求項５〜１１のいずれか１項記載の読影支援システム。
【請求項１３】
前記情報処理手段が、最新の情報に基づいて読影順を更新する、請求項１〜１２のいずれか１項記載の読影支援システム。
【請求項１４】
前記情報処理手段が、読影順の更新を停止してユーザが読影順を変更できるようにする機能を有する、請求項１３記載の読影支援システム。
【請求項１５】
前記情報入力手段が、前記読影順決定手段によって決定された読影順で、読影レポート作成画面を表示装置に表示させる、請求項５〜１４のいずれか１項記載の読影支援システム。
【請求項１６】
前記情報入力手段が、緊急の読影依頼が発生した場合に、前記表示部における表示を変更することによりユーザに通報する、請求項５〜１５のいずれか１項記載の読影支援システム。
【請求項１７】
前記情報入力手段が、緊急の読影依頼が発生した場合に、作成中の読影レポートの表示を一旦終了して読影レポートデータを前記読影レポートデータ格納部に格納すると共に、緊急の読影依頼の検査に関する読影レポート作成画面を表示し、緊急の読影依頼の検査に関する読影レポートの作成が完了した際に、一旦終了された読影レポートの表示を再開する、請求項５〜１６のいずれか１項記載の読影支援システム。
【請求項１８】
前記情報処理手段が、
読影順を一覧表示するワークリストを作成するワークリスト作成手段を含む、請求項１〜１７のいずれか１項記載の読影支援システム。
【請求項１９】
前記ワークリスト作成手段が、読影順の更新を停止してユーザがワークリストにおける読影順を変更できるようにする機能を有する、請求項１８記載の読影支援システム。
【請求項２０】
前記ワークリスト作成手段が、緊急の読影依頼が発生した場合に、表示装置における表示を変更することによりユーザに通報する、請求項１８又は１９記載の読影支援システム。
【請求項２１】
前記情報処理手段が、前記画像格納手段を定期的に監視して、前記画像格納手段に画像データが入力された検査について、前記検査情報格納手段に格納されている検査に関する情報に含まれているステータス情報を更新する、請求項１〜２０のいずれか１項記載の読影支援システム。
【請求項２２】
コンピュータを、請求項１〜２０のいずれか一項に記載の読影支援システムとして機能させるためのプログラム。
【手続補正２】
【補正対象書類名】明細書
【補正対象項目名】発明の名称
【補正方法】変更
【補正の内容】
【発明の名称】読影支援システム及びプログラム
【手続補正３】
【補正対象書類名】明細書
【補正対象項目名】０００９
【補正方法】変更
【補正の内容】
【０００９】
上記課題を解決するため、本発明の１つの観点に係る読影支援システムは、画像を表す画像データを格納する画像格納手段と、少なくとも１つの読影順条件を格納する読影順条件格納手段と、各検査に関する情報を格納する検査情報格納手段と、検査情報格納手段に情報が格納されている検査について、読影順条件格納手段に格納されている少なくとも１つの読影順条件及び画像格納手段における画像データの入力状態に従って、次に読影を行うべき検査を決定する情報処理手段と、を具備する。
また、本発明に係るプログラムは、コンピュータを、上記した読影支援システムとして機能させる。
【手続補正４】
【補正対象書類名】明細書
【補正対象項目名】００１０
【補正方法】変更
【補正の内容】
【００１０】
本発明によれば、ユーザ（例えば、読影医）又は施設等に応じて設定された読影順条件及び画像データの入力状態に従って次に読影を行うべき検査を決定するので、現在行われている読影が終了すると、次に読影を行うべき検査が自動的に決定される。従って、ワークリストを表示させて次の検査を選択する手間を省いて、効率良く読影を行うことが可能となる。